(57)【要約】      （修正有）【課題】ハンドルの操作位置におけるストッパの係止力を十分に発揮することができること及び親指を利用してストッパの係止を解くことができること。【解決手段】回転軸３と一体の基部４に枢支ピン６を介して揺動するように設けられたアーム部５と、アーム部の外端部に設けられた操作部７から成る窓開閉装置用折り畳み式ハンドルに於いて、アーム部の一端部に切欠収容部１１を形成し、該切欠収容部に付勢手段１２及び該付勢手段の付勢力に抗して枢支ピン６に対して平行に摺動する杆状ストッパ１３を組み込み、ハンドルの操作位置において、該操作端部はそのバネ端受け面が前記付勢手段の付勢力に付勢された状態で第１係合部１６及び第２係合部１７は、それぞれ基部の外端部に形成した切欠状第１被係合２１部と切欠状第２被係合部２２に同時に係合し、親指で該操作端部の端面を付勢手段の付勢力に抗して押圧すると、係合が解除しロックが解消する。【選択図】図１
2016065393.tif 000002
【特許請求の範囲】
【請求項１】
回転軸と一体の基部と、この基部に枢支ピンを介して揺動するように設けられたアーム部と、このアーム部の外端部に設けられた操作部から成る窓開閉装置用折り畳み式ハンドルに於いて、
前記アーム部の一端部に切欠収容部を形成し、該切欠収容部に付勢手段及び該付勢手段の付勢力に抗して枢支ピンに対して平行に摺動する釦式の杆状ストッパを組み込み、釦式の杆状ストッパは、操作端部に連続する杆状部分の一側面に突設された第１係合部と、この第１係合部に対向するように操作端部のバネ端受け面の位置とは反対側に突設された第２係合部とを有し、ハンドルの操作位置において、操作端部はそのバネ端受け面が付勢手段の付勢力に付勢された状態で前記第１係合部及び第２係合部は、それぞれ基部の外端部に形成した切欠状第１被係合部と切欠状第２被係合部に同時に係合し、一方、ハンドルの操作位置から該ハンドレを待避位置へもって行きたい場合には、主に親指でもって操作端部の外端面を付勢手段の付勢力に抗して押圧すると、前記第１係合部及び第２係合部は、同時に前記切欠状第１被係合部及び切欠状第２被係合部から離れてロック状態が解消する、窓開閉装置用折り畳み式ハンドル。
【請求項２】
請求項１に於いて、基部の枢支ピンを支持する両側ブラケットには、ハンドルの操作位置からハンドル待避位置へと位置変位した第１係合部及び第２係合部が同時に係合する切欠状第３被係合部及び切欠状第４被係合部が形成されていることを特徴とする窓開閉装置用折り畳み式ハンドル。
【請求項３】
請求項２に於いて、基部の外端部に形成した両側ブラケットの間隙を形成する内壁面には、アーム部停止用の傾斜状受け面が設けられていることを特徴とする窓開閉装置用折り畳み式ハンドル。
【発明の詳細な説明】
【技術分野】
【０００１】
本発明は、窓開閉装置用折り畳み式ハンドルに関する。
【背景技術】
【０００２】
特許文献１の折り畳み式ハンドルは、開閉操作用回転軸２に対してその軸線周りに回転しないように該回転軸２に取り付けられるハンドル基部３と、一端部の薄肉部５ａがハンドル基部３の両ブラケット３ａ、３ａにピン４を介して枢着され、かつハンドル基部３に対して操作位置（図２）と待避位置（図３）との間で所定角度まで揺動するやや弧状のハンドルアーム部５と、ハンドルアーム部の他端部に設けられたハンドル操作部６と、前記ハンドルアーム部５における前記ハンドル基部側の端部に、ハンドルアーム部の長さ方向に移動自在に取り付けられ、かつ突起状の操作摘み２８を有するストッパ片７と、ストッパ片をハンドル基部側に付勢する付勢手段としての圧縮コイルバネ８とを備えている。
【０００３】
上記折り畳み式ハンドルは、前記操作位置（図２）に於いて、ハンドル基部３の前記両ブラケット３ａ、３ａ内に形成された被係合部としての受け入れ部（凹所）１５に圧縮コイルバネ８のバネ力により付勢された前記ストッパ片７の凸状係合部２２が係合しているので、ハンドルアーム部５は、ハンドル基部３に形成した傾斜状のアーム部停止部１４の方向へ揺動するのが阻止されている。
【０００４】
しかして、前記ハンドルアーム部５を傾斜状のアーム部停止部１４の方向へ揺動する場合には、例えばハンドルアーム部５を右手で握りながら、該右手の人差し指でもって突起状の操作摘み２８を引き、ストッパ片７を圧縮コイルバネ８のバネ力に抗して引き下げる必要があるので、圧縮コイルバネ８のバネ力に対する人差し指の力の入れ具合によっては、容易にストッパ片７を引き下げることができないという問題点がある。またハンドルアーム部５の揺動を阻止するのは、例えば図２で示すようにストッパ片７の凸状係合部２２と基部３の受け入れ部（凹所）１５の「一箇所」のみであることから、阻止力が十分でないという問題点もある。さらに、圧縮コイルバネ８のバネ力がピン４に掛かるように、またストッパ片７がハンドルアーム部５の長さ方向に移動してストッパ片７の凸状係合部２２が基部の係合端１６に至るように該ストッパ片７に案内長孔２６を形成しなければならないので、その構造が複雑であるという問題点もある（図面及び符号は特許文献１のもの）。そこで、特許文献１の問題点を解消することが期待されている。
【０００５】
なお、特許文献２の図２に記載されているように、窓開閉装置に於いて、該窓開閉装置のハンドルが、サッシ型の四方組みされた窓枠の下枠に固定された箱体に回転可能に設けられ、内端部に歯車を有する回転軸と、この回転軸に一体的に設けられたハンドル基部と、このハンドル基部に所定角度の範囲内で揺動するように設けられたハンドルアーム部と、このハンドルアーム部の外端部に設けられたハンドル操作部６から成る事項は公知である。
【先行技術文献】
【特許文献】
【０００６】
【特許文献１】特許第４１８２２７５号公報
【特許文献２】特許第５４７０８７０号公報の図２
【発明の概要】
【発明が解決しようとする課題】
【０００７】
本願発明の主たる目的は、特許文献１の問題点に鑑み、ハンドルの操作位置におけるストッパの係止力（アーム部の揺動阻止力）を十分に発揮することができる一方、ハンドルの操作位置から該ハンドレを待避位置へもって行きたい場合には、好ましくは力の入れ具合が非常に良い親指を利用してストッパの係止（アーム部の揺動阻止）を解くことができることである。なお、操作する指は、親指のみに限定する趣旨ではない。本願発明の従たる目的は、ハンドルの基部とアーム部とを枢支する枢支ピン（軸）に付勢手段の付勢力が掛からないような構造にすると共に、付勢手段及び釦式の杆状ストッパを簡単にハンドルアーム部に組み込むことができること、ハンドルアーム部のハンドルの操作位置からハンドル待避位置へと揺動した場合に、ハンドルアーム部が必要以上に回転しないことである。
【課題を解決するための手段】
【０００８】
本発明の窓開閉装置用折り畳み式ハンドルは、回転軸の一体のハンドル基部と、このハンドル基部に枢支ピンを介して揺動するように設けられたハンドルアーム部と、このハンドルアーム部の外端部に設けられたハンドル操作部から成る窓開閉装置用折り畳み式ハンドルに於いて、前記ハンドルアーム部の一端部に切欠収容部を形成し、該切欠収容部に付勢手段及び該付勢手段の付勢力に抗して前記枢支ピンに対して平行に摺動する釦式の杆状ストッパを組み込み、前記釦式の杆状ストッパは、操作端部と、この操作端部に連続する杆状部分の一側面に突設された第１係合部と、この第１係合部に対向するように前記操作端部の内部のバネ端受け面の位置とは反対側に突設された第２係合部とを有し、ハンドルの操作位置において、前記操作端部は、前記内部のバネ端受け面が前記付勢手段の付勢力に付勢された状態で前記第１係合部及び前記第２係合部は、それぞれ前記ハンドル基部の外端部に形成した切欠状第１被係合部と切欠状第２被係合部に同時に係合し、一方、ハンドルの操作位置から該ハンドレを待避位置へもって行きたい場合には、主に親指でもって前記操作端部の外の端面を前記付勢手段の付勢力に抗して押圧すると、前記第１係合部及び前記第２係合部は、同時に前記切欠状第１被係合部及び切欠状第２被係合部から離れてロック状態が解消することを特徴とする。
【発明の効果】
【０００９】
（ａ）請求項１に記載の発明は、ハンドルの操作位置におけるストッパの係止力（アーム部の揺動阻止力）を十分に発揮することができる一方、ハンドルの操作位置から該ハンドレを待避位置へもって行きたい場合には、好ましくは力の入れ具合が非常に良い親指を利用してストッパの係止（アーム部の揺動阻止）を解くことができる。またハンドルの基部とアーム部とを枢支する枢支ピン（軸）に付勢手段の付勢力が掛からないような構造にすると共に、付勢手段及び釦式の杆状ストッパをハンドルアーム部の内端部に形成した切欠収容部から簡単に該ハンドルアーム部に組み込むことができる。
（ｂ）請求項２及び請求項３に記載の発明は、ハンドルアーム部のハンドルの操作位置からハンドル待避位置へと揺動した場合に、ハンドルアーム部が必要以上に回転しない。そして、ハンドル待避位置（折り曲げた状態）からハンドルが操作位置へと揺動しないように、ハンドルを常に係止することができる。
【図面の簡単な説明】
【００１０】
図１乃至図９は本発明の一実施形態を示す各説明図。なお、図１０は従来の一実施形態である。
【図１】ハンドルが操作位置における一部（箱体、基部）を縦断面で示した正面視からの概略説明図。
【図２】平面視からの概略説明図。
【図３】図１に於いて、ハンドルが待避位置まで揺動した（折り畳まれた）概略説明図。
【図４】図１を基準にして主要部（箱体と回転軸は省略）を反転した概略説明図。
【図５】図１に於いて、矢印Ａ方向から見た説明図。
【図６】図１の６−６線概略断面説明図（ロック状態）。
【図７】図６に於いて、好ましくは親指でもって杆状ストッパを押圧し、ロックを解除した状態を示す概略説明図（ロック解消状態）。
【図８】杆状ストッパ（ロッキングバー）の斜視図。
【図９】図３の９−９線概略断面説明図（待避位置でハンドルを二箇所で係止）。
【図１０】特許文献１の図２と同一の図面（従来の実施形態で、便宜上、符号は特許文献１の図２と同一である）。
【発明を実施するための最良の形態】
【００１１】
図１乃至図９は、本発明の一実施形態の窓開閉装置用折り畳み式ハンドルＸである。本実施形態も特許文献１及び特許文献２の如く、窓開閉装置用折り畳み式ハンドルＸは、窓枠の下枠１に固定された箱体２に回転可能に設けられ、内端部にウォーム（歯車）８を有する回転軸３と、この回転軸の外端部に一体的に設けられたハンドル基部４と、このハンドル基部に枢支ピン６を介して揺動するように設けられたハンドルアーム部５と、このハンドルアーム部の外端部に設けられたハンドル操作部７から成る。以下、各部材の端面や両端部を説明する場合、例えば図１を基準にして、図面の左側を内端面又は内端部といい、一方、図面の右側を外端面又は外端部という。また図１の手前側を「前」、向う側を「後」という。
【００１２】
まず、図１を参照にして、構成部材を簡単に説明する。１は窓枠の下枠、２は下枠１に内端面（図面左側）が固定される箱体、３は箱体２支承される回転軸、４は回転軸に内端部が一体的に外嵌合するハンドル基部（以下、「基部」という）、５は基部の外端部に形成された前後のブラケット（支持部分）４ａに枢支ピン６を介して不番の薄肉状内端部が枢着されたやや長杆状ハンドルアーム部（以下、「アーム部」という）、７はアーム部の外端部に鈍角状態に取付けられた短杆状ハンドル操作部（以下、「操作部」という）である。
【００１３】
窓開閉装置用ハンドルが折り畳み式である理由は、例えば図１の正面視及び図２の平面視から明らかなように、使用時、ハンドルは箱体２の外端面（図面右側）から著しく突出しているからである。したがって、非使用時に折り畳んでおけばハンドルが邪魔にならない。
【００１４】
箱体２は回転軸３を傾斜状態に支承するために、右上がり方向の不番の回転軸収容部を有し、該回転軸収容部の下方支持凹所と上方貫通孔に回転軸３の内端部と外端部がそれぞれ支承されることから、回転軸３は箱体２に右上がり方向へ傾斜状態に支承されている。そして、回転軸３の内端部の周囲にはウォーム８が固定的に設けられ、前記ウォーム８は、図示しない垂直軸に一体的に設けられたセクタ状ウォームホイール９と噛み合っている。
【００１５】
それ故に、図１で示すハンドルの使用時に於いて、操作部７を、例えば右手で握り締め、該アーム部５を回すと、後述する「釦式の杆状ストッパ１３」でロックされた基部４も該アーム部５と共働して同方向に回転し、さらに基部４と一体の回転軸３も同方向に共働回転することから、ハンドルの操作力はセクタ状ウォームホイール９に伝達される。
さて、特許文献１には、基部の外端部、アーム部の内端部及びストッパの各構造が詳細に説明されているので、ここでは細部的事項は極力割愛し、図１０を参照にして特許文献１と主に異なる点について説明する。
【００１６】
本実施形態が特許文献１（特許文献１の図２）に記載の折り畳み式ハンドルと主に異なる点は、まず、アーム部５の一端部（図１を基準にすると、左側の内端部）に切欠収容部１１を形成し、該切欠収容部１１に付勢手段１２及び該付勢手段の付勢力に抗して、かつ枢支ピン６に対して平行に摺動する釦式の杆状ストッパ１３を組み込んだことである（相違点１）。
【００１７】
特許文献１のストッパ７（便宜上、図１０の符号は特許文献１の図２と同一である）は、枢支ピン４にその内端部の長孔２６の縁部分が直接圧接するように移動する。すなわち、前記ストッパ７は長孔２６の前後の縁部分に選択的に当接するようにアーム部５の長手方向に移動するのに対して、本実施形態の釦式の杆状ストッパ１３は、例えば図６及び図７で示すように、アーム部５の薄肉状内端部を軸支する枢支ピン６に対して付勢手段１２の付勢力に抗して及び付勢手段１２の復帰力により平行移動する。したがって、釦式の杆状ストッパ１３の作動は前記枢支ピン６に全く関与しない。
【００１８】
なお、前述した切欠収容部１１の内部構造や範囲は、例えば図６及び図７で示すように、内部に付勢手段としての圧縮コイルバネ１２の端部を受けるバネ端支持部１１ａを有することが望ましく、該バネ端支持部１１ａからアーム部５の一方の外周面５ａ及び内端面に向かって適宜に形成されている。
【００１９】
また切欠収容部１１の外周面の形状は特に問わないが、例えば釦式の杆状ストッパ１３の移動量、圧縮コイルバネ１２の圧縮量、釦式の杆状ストッパ１３の大きさ（半径や外観形状）、釦式の杆状ストッパ１３に設けた複数の係合部１６，１７の位置を総合的に考慮して適宜に形成されている。
【００２０】
次に、例えば図８で示すように、本実施形態の釦式の杆状ストッパ１３は、釦状の操作端部１４と、この操作端部１４に水平方向に連続する杆状部分１５の先端部側（図面の右側）の一側面に突設されたややブロック形状の第１係合部１６と、この第１係合部１６に対向するように前記操作端部１４の内部のバネ端受け面１４ａの位置とは反対側に突設されたややブロック形状の第２係合部１７とを有し、ハンドルの操作位置において、前記釦状の操作端部１４は、前記バネ端受け面１４ａが付勢手段１２の付勢力に付勢された状態で、第１係合部１６及び第２係合部１７は、それぞれ基部４の外端部に形成した第１ストッパ面２１ａを有する切欠状第１被係合部２１と、第２ストッパ面２２ａを有する切欠状第２被係合部２２に同時に係合する（図１、図６参照）。
【００２１】
これに対して、特許文献１のストッパ７は、図１０で示すようにストッパ７の内端部に爪状に突設した一つの係合部（凸部）２２が、基部３の外端部に形成した一つの受け入れ部（凹所）１５に係合するだけである。したがって、両者は、ハンドルの操作位置におけるストッパの係止力（アーム部の揺動阻止力）が相違する。
【００２２】
次に、本実施形態の釦式の杆状ストッパ１３は、ハンドルの操作位置から該ハンドレを待避位置へもって行きたい場合には、図７で示すように、好ましくは親指Ｆでもってアーム部５の外周面５ａから突出する操作端部１４の外端面１４ｂを押し、該操作端部１４が付勢手段１２の付勢力に抗して切欠収容部１１に略入り込むと、すなわち、操作端部１４をアーム部５の一方の外周面５ａから他方の外周面５ｂに向かって、かつ付勢手段１２の付勢力に抗して押圧すると、第１係合部１６及び第２係合部１７は、同時に基部４側の切欠状第１被係合部２１のストッパ面２１ａ及び切欠状第２被係合部２２のストッパ面２２ａから離れ、二箇所のロック状態が解かれる。
【００２３】
これに対して、特許文献１のストッパ７は、例えばアーム部５を右手で握り締めた場合に親指で操作することは難しく、主に人差し指をストッパ操作部分２８に掛け、ストッパ７を圧縮コイルバネ１２のバネ力に抗して引き寄せる必要がある。したがって、主に操作する指如何によっては両者のストッパ（１３、７）に対する力の入り具合が異なる。
【００２４】
さらに、図９は、ハンドルが待避位置において、アーム部５を二箇所で係止している状態を示す概略断面説明図であるが、本実施形態では、基部の枢支ピン６を支持する両側ブラケット４ａ、４ａには、ハンドルの操作位置からハンドル待避位置へと位置変位した第１係合部１６及び第２係合部１７が同時に係合する切欠状第３被係合部１８及び切欠状第４被係合部１９が形成されている。
【００２５】
なお、特許文献１と同様に両側ブラケット４ａ、４ａの不番の間隙を形成する内壁面には、アーム部停止用の傾斜状受け面２５（特許文献１では符号１４）が設けられている。したがって、アーム部５をハンドルの操作位置からハンドル待避位置へと揺動した場合に、該アーム部５が必要以上に回転しないという利点がある。
【産業上の利用可能性】
【００２６】
本発明は、例えば高層ビルディングのすべり出し窓用開閉装置のハンドルに適用できる。
【符号の説明】
【００２７】
Ｘ…窓開閉装置用折り畳み式ハンドル、
１…下枠、２…箱体、
３…回転軸、
４…ハンドル基部、
５…ハンドルアーム部、
６…枢支ピン、
７…ハンドル操作部、
１１…切欠収容部、
１２…付勢手段、
１３…杆状ストッパ、
１４…操作端部、
１４ａ…バネ端支持部、
１５…杆状部分、
１６…第１係合部、
１７…第２係合部、
１８…切欠状第３被係合部、
１９…切欠状第４被係合部、
２１…切欠状第１被係合部、
２２…切欠状第２被係合部、
２５…アーム部停止用の傾斜状受け面。
【図１】
2016065393.tif 000003
【図２】
2016065393.tif 000004
【図３】
2016065393.tif 000005
【図４】
2016065393.tif 000006
【図５】
2016065393.tif 000007
【図６】
2016065393.tif 000008
【図７】
2016065393.tif 000009
【図８】
2016065393.tif 000010
【図９】
2016065393.tif 000011
【図１０】
2016065393.tif 000012